(57)【要約】【課題】シャッタチャンスを逃すことなく、撮影された画像の状態、カメラの設定状態および撮影補助情報を確認することができる撮像装置を提供する。【解決手段】ファインダ装置１３０に、物体の光学像を表示するための第１表示領域１９１、および情報表示を行うための第２表示領域１９０ｄを設ける。第１表示領域１９１と第２表示領域１９０ｄは接眼窓１６８を通して同時に観察可能である。第２表示領域１９０ｄには、撮像素子１２７によって光電変換された電子画像が表示される。【選択図】図８
2008244511.tif 000002
【特許請求の範囲】
【請求項１】
撮影レンズにより結像された被写体像を光電変換する撮像素子と、
前記被写体像が光学像として観察される第１表示領域と、表示手段により表示される前記撮像素子によって光電変換された電子画像が観察される第２表示領域とを、接眼窓を通して同時に観察可能であるファインダ装置とを有する撮像装置。
【請求項２】
前記表示手段は、次のコマの撮影準備動作に同期して前記電子画像を表示することを特徴とする請求項１記載の撮像装置。
【請求項３】
前記表示手段は、所定のマークで情報が付加された前記電子画像を表示することを特徴とする請求項１または２記載の撮像装置。
【請求項４】
入射光を前記ファインダ装置に向けて反射させる第１位置と前記入射光を前記撮像素子に結像させる第２位置とに移動自在である可動ミラーと、前記可動ミラーを駆動するミラー駆動回路とを備え、前記ミラー駆動回路は、撮像時に前記可動ミラーを前記第２位置に移動させることを特徴とする請求項１記載の撮像装置。
【請求項５】
入射光を反射させて前記ファインダ装置に導くとともに、前記入射光を透過させて前記撮像素子に結像させるように、前記入射光の光路を分割するペリクルミラーを備えたことを特徴とする請求項１記載の撮像装置。
【請求項６】
入射光に含まれる可視光を反射させて前記ファインダ装置に導くとともに、前記入射光に含まれる赤外光を透過させて前記撮像素子に結像させるように、前記入射光の光路を分割するビームスプリッタを備えたことを特徴とする請求項１記載の撮像装置。
【請求項７】
他の撮像装置によって撮像された電子画像を取得する取得手段を有し、
前記表示手段に、前記撮像素子によって光電変換された電子画像が表示されないときに、前記取得手段によって取得された電子画像を表示することを特徴とする請求項１記載の撮像装置。
【請求項８】
地図情報を取得する取得手段を有し、
前記表示手段に、前記撮像素子によって光電変換された電子画像が表示されないときに、前記取得手段によって取得された地図情報を表示することを特徴とする請求項１記載の撮像装置。
【請求項９】
テレビ放送の映像を取得する取得手段を有し、
前記表示手段に、前記撮像素子によって光電変換された電子画像が表示されないときに、前記取得手段によって取得されたテレビ放送の映像を表示することを特徴とする請求項１記載の撮像装置。
【発明の詳細な説明】
【技術分野】
【０００１】
本発明は、電子画像を撮影する撮像装置に関する。
【背景技術】
【０００２】
従来、この種の撮像装置として、光学ファインダと電子ファインダとを切り替え可能とし、撮影姿勢を崩さずに再生画像の確認動作を容易にしたカメラが知られている（特許文献１参照）。このカメラは、撮影レンズを通った物体像を光学的にファインダに導く第１のファインダ系と、撮像素子および表示装置を介して電子的にファインダに導く第２のファインダ系とを有する。また、このカメラは、これら両ファインダ系の有効状態を切り替えるファインダ切替部を有する。また、このカメラは、蓄積部に記録する記録モードとこの蓄積部から読み出して表示装置に表示する再生モードとを切り替えるモード切替部と、これら両モードの切り替えを行う制御部とを有する。
【０００３】
このカメラでは、制御部が記録モードから再生モードに切り替えたときに、ファインダ切替部は、ファインダ系を強制的に第２のファインダ系の有効状態に切り替える。そして、制御部が再び記録モードに切り替えを戻したときには、ファインダ切替部は、元の記録モードで有効状態とされていた方のファインダ系に自動復帰する。
【０００４】
また、撮影者がファインダを覗くだけで、演算された適正露出値およびその前後の露出値とが撮影画面内に占める割合を知ることができるカメラが知られている（特許文献２参照）。このカメラは、ファインダ内のフォーカシングスクリーンで物体像を、またその近くの表示装置で物体の輝度分布と、シャッタ速度や絞りなどのカメラの露光条件をそれぞれ示すように構成されている。このカメラは、物体像を２次元の碁盤の目状に分割し、各目ごとに輝度を測定し、カメラ内のＣＰＵで処理する。そして、カメラは、設計した露光条件に最適な輝度の目の数を中央に、これより高輝度の目の数をその右側に、低輝度の目の数を左側にそれぞれヒストグラムとして表示装置に表示している。
【特許文献１】特開２００４−３５７１２３号公報
【特許文献２】特開平０６−２８２００４号公報
【発明の開示】
【発明が解決しようとする課題】
【０００５】
しかしながら、上記従来の撮像装置では、以下に掲げる問題があった。特許文献１に記載のカメラでは、再生モードに切り替えたときに、撮影レンズを通った物体像を光学的にファインダに導く第１のファインダ系と、撮像素子および表示装置を介して電子的にファインダに導く第２のファインダ系とが単に切り替わるだけであった。従って、第２のファインダ系が使用されているときには、物体像を観察することができず、折角のシャッタチャンスを逃してしまうことが多々あった。
【０００６】
また、特許文献２に記載のカメラでは、ファインダを通して演算された適正露出値とその前後の露出値とが撮影画面内に占める割合を知ることができるものの、好ましい写真を撮影するために必要な様々な条件を確認することはできなかった。例えば、適切なホワイトバランスが設定されているか否か、画像ブレが生じないシャッタスピードが設定されているか否か、ピントが物体に合っているか否か、撮像素子防振の結果として構図が意図したものから外れていないか否かといった条件が確認できなかった。また、光学ローパスフィルタ上に塵埃などの異物が付着していないか否か、カラー写真を撮ろうとしているにもかかわらず、意図せず白黒写真モードに設定されていないか否かといった条件も確認できなかった。
【０００７】
そこで、本発明は、上記問題点に鑑みなされたものであり、シャッタチャンスを逃すことなく、撮影された画像の状態、カメラの設定状態および撮影補助情報を確認することができる撮像装置を提供することを目的とする。
【課題を解決するための手段】
【０００８】
上記目的を達成するために、本発明の撮像装置は、撮影レンズにより結像された被写体像を光電変換する撮像素子と、前記被写体像が光学像として観察される第１表示領域と、表示手段により表示される前記撮像素子によって光電変換された電子画像が観察される第２表示領域とを、接眼窓を通して同時に観察可能であるファインダ装置とを有することを特徴とする。
【発明の効果】
【０００９】
本発明の請求項１に係る撮像装置によれば、ファインダから目を離すことなく物体の光学像の観察を可能としたままで、電子画像を以って撮影された画像の状態、カメラの設定状態および撮影補助情報を確認可能である。従って、シャッタチャンスを逃すといったことの少ない新規のカメラを実現することができる。
【００１０】
請求項２に係る撮像装置によれば、次のコマの撮影準備動作に同期して電子画像が表示されるので、撮影後直ちに上記確認を行うことができる。請求項３に係る撮像装置によれば、撮影された電子画像の状態を確認できる他、種々の情報を得ることができる。
【００１１】
請求項４に係る撮像装置によれば、入射光の光路を容易に切り換えることができる。請求項５に係る撮像装置によれば、入射光の光路を容易に分割することができる。
【００１２】
請求項６に係る撮像装置によれば、赤外光で撮影する場合、上記同様の効果が得られる他、光学像を用いて可視光による自然な色合いのまま被写体を捕捉することができる。
【００１３】
請求項７に係る撮像装置によれば、他の撮像装置で撮影された電子画像を表示することが可能である。例えば、新聞社や通信社において取材チームの他のカメラマンがどんな写真を撮ったかを認識可能である。従って、取材チーム内の連携をより密に図ることができ、シャッタチャンスを逃すことがなくなる。
【００１４】
請求項８に係る撮像装置によれば、地図情報を表示することが可能である。この場合、どこからどの方向に向かって撮影が行われているかを視覚的に捉えることができ、シャッタチャンスを逃すことがなくなる。
【００１５】
請求項９に係る撮像装置によれば、テレビ放送の映像を表示することが可能である。例えば、テレビ放送によってスポーツの試合等の全体像を把握しつつ、同時に第１表示領域では撮影レンズによる光学像で物体のアップを狙うことができる。従って、シャッタチャンスを容易に捉えることができる。
【発明を実施するための最良の形態】
【００１６】
本発明の撮像装置の実施の形態について図面を参照しながら説明する。本実施形態の撮像装置はデジタル一眼レフカメラに適用される。
【００１７】
［第１の実施形態］
本実施形態のデジタル一眼レフカメラは、ＣＭＯＳやＣＣＤ等の撮像素子で物体像（被写体像）を撮像するスチルカメラである。このデジタル一眼レフカメラでは、撮像動作の開始を指示するためのレリーズ釦がカメラの外装筐体に設けられている。また、このカメラは、撮像モードとして、レリーズ釦を押し続けている間、撮像動作を繰り返す連続撮像モード（連写モード）を備えている。カメラは、この連写モードが選択された状態でレリーズ釦が操作されている間、物体像観察用可動ミラーを撮像光路外に退避させ、物体像（被写体像）を電子画像に光電変換する撮像動作を繰り返し行うようになっている。
【００１８】
図１は第１の実施形態におけるデジタル一眼レフカメラの電気回路の概略的構成を示す図である。デジタル一眼レフカメラ５０は、カメラ全体の動作シーケンスを司るＣＰＵ１４１、照明ユニット１０１、撮影レンズ１２０、可動ミラー１２４、シャッタ１２６および撮像素子１２７を有する。撮像素子１２７はアスペクト比３：２の矩形の撮像部を有する。
【００１９】
また、デジタル一眼レフカメラ５０は、ファインダ装置１３０、焦点検出装置１３９、内蔵プリンタ１６０、ズーム・ピント・防振駆動回路１３４、絞り駆動回路１３５、ミラー駆動回路１３６およびＡＦセンサ駆動回路１３７を有する。
【００２０】
また、デジタル一眼レフカメラ５０は、シャッタ駆動回路１３８、除塵機構駆動回路１６９、プリンタ制御回路１６１、撮像素子防振制御回路１７２、ＧＰＳ回路１６２、無線通信回路１６３およびデジタルテレビチューナ１６４を有する。プリンタ制御回路１６１は内蔵プリンタ１６０を制御する。撮像素子防振制御回路１７２は撮像素子１２７の位置を動かして画像の振れを止める。ＧＰＳ回路１６２はカメラの位置を計測する。
【００２１】
また、デジタル一眼レフカメラ５０は、赤外線通信回路１７０、音声処理回路１６５および画像改ざん検知用データ処理回路１６６を有する。赤外線通信回路１７０は携帯電話等との間で比較的少ないデータ量の通信を行う。音声処理回路１６５には、マイクやスピーカが含まれる。
【００２２】
また、デジタル一眼レフカメラ５０は、スイッチ入力部１４２、ＥＥＰＲＯＭ１４３、信号処理回路１４５、照明制御回路１４６、ＥＰＲＯＭ１４７、ＳＤＲＡＭ１４８およびフラッシュメモリ１５０を有する。
【００２３】
撮影レンズ１２０は、複数のレンズ群１２１、１６７、１２３から構成され、これらのレンズ群の間には、絞り機構１２２が設けられている。レンズ群１２１、１６７、１２３はズーム・ピント・防振駆動回路１３４によって駆動される。また、絞り機構（単に絞りという）１２２は絞り駆動回路１３５によって駆動される。
【００２４】
レンズ群１２１、１６７、１２３の後方には、可動ミラー１２４が設けられている。可動ミラー１２４は、ハーフミラーおよびその保持機構から構成され、第１の位置であるミラーダウンの位置と第２の位置であるミラーアップの位置に移動自在である。可動ミラー１２４は、露光時（撮像時）に、固定軸１２４ａの周りに回転しながら、第１の位置からフォーカシングスクリーン１３１に向けて、ミラーアップの位置である第２の位置に跳ね上がり、撮影光路から待避する。また、可動ミラー１２４の中央部分の背面には、凹面鏡で構成されたサブミラー１２５が図中下方に物体光を反射するように設けられている。
【００２５】
サブミラー１２５の反射光軸の下方には、２つのレンズで像分離を行う再結像光学系１２８が設けられ、さらに、再結像光学系１２８による物体像の結像位置には、ＡＦセンサ１２９が設けられている。ＡＦセンサ１２９には、ＡＦセンサ駆動回路１３７が接続されている。
【００２６】
なお、サブミラー１２５、再結像光学系１２８およびＡＦセンサ１２９は、焦点検出装置１３９を構成する。焦点検出装置１３９は、公知の位相差検出方式によって、撮像素子１２７上の複数の位置において物体の結像状態を検出する。
【００２７】
ズーム・ピント・防振駆動回路１３４は、既知の電磁モータ、超音波モータ等の駆動源、これらの駆動源を制御するドライバ回路、レンズの位置を検出するエンコーダ装置等から構成されている。ズーム制御およびピント制御では、レンズ群１２１、１６７、１２３の光軸方向の位置が制御される。また、防振制御では、レンズ群１６７の光軸と直交する方向の位置が制御される。
【００２８】
可動ミラー１２４の反射光路上には、ファインダ光学系が設けられている。ファインダ光学系は、フォーカシングスクリーン１３１、光学ガラスからなるペンタプリズム１３２、接眼レンズ１３３等から構成される。ファインダ装置１３０は、このファインダ光学系に、液晶表示器１０８、プリズム１５４、測光レンズ１５５、測光センサ１５６等を加えた構成を有する。
【００２９】
撮影レンズ１２０のレンズ群１２１、１６７、１２３を透過した物体光（入射光）は、可動ミラー１２４で反射され、フォーカシングスクリーン１３１上に結像される。観察者は、このフォーカシングスクリーン１３１に結像された光学物体像（光学像）を、ペンタプリズム１３２および接眼レンズ１３３を介し、単一の接眼窓１６８を通して視認する。光学像を観察する利点は、時間遅れが事実上無いことである。
【００３０】
測光センサ１５６は、測光レンズ１５５を介してフォーカシングスクリーン１３１上の物体像の明るさを測光するためのセンサである。測光センサ１５６は、ファインダ装置１３０内の、接眼レンズ１３３の観察光軸から偏心した測光軸上の位置に測光レンズ１５５とともに設けられている。また、測光センサ１５６は、複数に分割された受光面を有するフォトダイオードで形成されている。ＣＰＵ１４１は、測光センサ１５６のフォトダイオードから個々に出力された輝度出力に対し、焦点検出装置１３９によるフォーカシングスクリーン１３１上の測距位置に応じた演算を施す。そして、ＣＰＵ１４１は、この演算結果から露光制御を行うための物体輝度情報（ＢＶ値）を求める。
【００３１】
可動ミラー１２４の後方には、シャッタ１２６、除塵機構１６９、およびＣＣＤやＣＭＯＳイメージャ等の撮像素子１２７が設けられている。
【００３２】
シャッタ１２６は、シャッタ駆動回路１３８によって駆動されて所定秒時開放し、物体像を撮像素子１２７の受光面に導くものである。可動ミラー１２４がミラー駆動回路１３６により駆動され、撮影レンズ１２０の光軸上から退避するために第２の位置に上昇し、シャッタ１２６がシャッタ駆動回路１３８により駆動され、開状態になる。これにより、撮像素子１２７の受光面に物体像が導かれ、撮像動作が行われる。この際、撮像素子防振制御回路１７２に接続された撮像素子防振機構１７１は、画像のブレを打ち消す方向に撮像素子１２７をシフトおよび回転させ、画像が流れて解像感が失われることを防ぐ。
【００３３】
なお、撮像素子防振機構１７１は、ファインダ装置１３０への光路の分割位置よりも撮像素子１２７よりにあるので、撮像素子１２７のシフトや回転による構図の変化をファインダ装置１３０で確認することはできない。
【００３４】
除塵機構１６９は、光学ローパスフィルタや赤外線カットフィルタを機械的に振動させ、これらに付着した異物に加速度を与え、それによって発生する力で異物を振るい落とすものである。
【００３５】
マイクロプロセッサで構成されるＣＰＵ１４１には、データバス１５２を介して、ズーム・ピント・防振駆動回路１３４、絞り駆動回路１３５、ミラー駆動回路１３６、ＡＦセンサ駆動回路１３７および除塵機構駆動回路１６９が接続されている。また、ＣＰＵ１４１には、データバス１５２を介して、シャッタ駆動回路１３８、プリンタ制御回路１６１、撮像素子防振制御回路１７２、ＧＰＳ回路１６２、無線通信回路１６３、デジタルテレビチューナ１６４および赤外線通信回路１７０も接続されている。また、ＣＰＵ１４１には、データバス１５２を介して、前述した音声処理回路１６５、画像改ざん検知用信号処理回路１６６および照明制御回路１４６も接続されている。また、ＣＰＵ１４１には、データバス１５２を介して、スイッチ入力部１４２、および不揮発性メモリであるＥＥＰＲＯＭ１４３が接続されている。
【００３６】
スイッチ入力部１４２は、カメラの外装筐体に設けられたレリーズ釦（図示せず）の半押し操作に連動してオンになる第１レリーズスイッチ、および同レリーズ釦の深押し操作に連動してオンになる第２レリーズスイッチを有する。また、スイッチ入力部１４２は、カメラのパワースイッチに連動するスイッチ、カメラ内の各種モード釦に連動するモードスイッチ等の複数のスイッチを有する。スイッチ入力部１４２は、いずれかのスイッチ操作に基づく操作信号をＣＰＵ１４１に供給する。
【００３７】
ＥＥＰＲＯＭ１４３は不揮発性の半導体メモリである。ＥＥＰＲＯＭ１４３には、生産工程において、個々のカメラのばらつきを抑えて出荷するために必要なカメラの固体毎の調整値が格納されている。また、ＥＥＰＲＯＭ１４３には、測光センサ１５６からの出力により、ＣＰＵ１４１が後述するバックライト１０８ｂの光量を規定するためのＢＶ値とバックライト光量の関係を示す係数等が格納されている。
【００３８】
ＣＰＵ１４１は、第１レリーズスイッチがオンになると、ＡＦセンサ駆動回路１３７を制御し、ＡＦセンサ１２９上の２像間の距離を演算し、その距離データからズーム・ピント・防振駆動回路１３４を制御し、撮影レンズ１２０の焦点調整を行う。
【００３９】
また、ＣＰＵ１４１は、第２レリーズスイッチがオンになると、ミラー駆動回路１３６を制御し、可動ミラー１２４を光軸上から第２の位置に退避させる。ＣＰＵ１４１は、この退避制御とともに、測光センサ１５６の出力に基づく物体輝度情報を基に、適正絞り値、シャッタ秒時および撮像素子感度を求める。ＣＰＵ１４１は、求めた絞り値で絞り駆動回路１３５を介して絞り機構１２２を駆動させる。ＣＰＵ１４１は、求めたシャッタ秒時でシャッタ駆動回路１３８を介してシャッタ１２６を駆動させる。
【００４０】
また、ＣＰＵ１４１は、ＥＥＰＲＯＭ１４３に格納されたＢＶ値とバックライト光量の関係を示す係数を参照し、バックライト１０８ｂに供給する電流量を決定し、視認するに適切な光量を得る。
【００４１】
シャッタ１２６の開動作によって、物体像が撮像素子１２７の受光面に結像すると、この物体像は、アナログ画像信号に変換され、さらに、信号処理回路１４５においてデジタル画像信号に変換される。
【００４２】
信号処理回路１４５は、その内部にＲＩＳＣプロセッサ、カラープロセッサ、ＪＰＥＧプロセッサを含み、デジタル画像信号の圧縮・伸張処理、ホワイトバランス処理、エッジ強調処理等の画像処理を行う。また、信号処理回路１４５は、液晶表示器１０８に出力されるコンポジット信号（輝度信号、色差信号）への変換処理等を行う。
【００４３】
ＣＰＵ１４１および信号処理回路１４５は、通信ライン１５３で接続されている。この通信ライン１５３を介して、画像信号の取り込みタイミング等の制御信号やデータの送受が行われる。
【００４４】
信号処理回路１４５で生成されたコンポジット信号は、ファインダ装置１３０内の液晶表示器１０８に出力され、電子物体像が表示される。この液晶表示器１０８は、ペンタプリズム１３２と接眼レンズ１３３の間に設けられている。液晶表示器１０８は、カラー画像を表示するための表示素子であるＬＣＤ（液晶表示素子）１０８ａ、およびこのＬＣＤ１０８ａの表示面を後方から照明するためのバックライト１０８ｂから構成される。バックライトライト１０８ｂには、例えば白色ＬＥＤが用いられる。
【００４５】
ペンタプリズム１３２には、第３反射面１３２ａを延長した面１５４ｂを有し（図３参照）、ペンタプリズム１３２と同一の屈折率を有するプリズム１５４がインデックスマッチングを取った接着剤を用いて固着されている。液晶表示器１０８を発した光線は、プリズム１５４の内部で２回反射し、接眼レンズ１３３の方向へ導かれる。この際、液晶表示器１０８のＬＣＤ１０８ａの表示面は、面１５４ａの曲率によって、フォーカシングスクリーン１３１と光学的に等価な位置となっている。そして、可動ミラー１２４が第１の位置にあるか第２の位置にあるかに拘わらず、ＬＣＤ１０８ａに表示された画像は接眼窓１６８を通して観察可能である。なお、ＬＣＤ１０８ａに表示された画像の明るさは、バックライト１０８ｂである白色ＬＥＤの電流供給量を変化させることで、適切な明るさに調整される。
【００４６】
信号処理回路１４５は、データバス１５１を介して、ＥＰＲＯＭ１４７、ＳＤＲＡＭ（シンクロナスダイナミックランダムアクセスメモリ）１４８およびフラッシュメモリ１５０に接続されている。
【００４７】
ＥＰＲＯＭ１４７には、信号処理回路１４５に含まれるプロセッサ（ＣＰＵ）で処理されるプログラムが格納されている。ＳＤＲＡＭ１４８は、画像処理前の画像データや画像処理中の画像データを一時的に記憶する揮発性のメモリである。フラッシュメモリ１５０は、最終的に確定された画像データを記憶する不揮発性のメモリである。ＳＤＲＡＭ１４８は高速動作を行うことができるが、電源供給が停止されるとその記憶内容が消滅する。一方、フラッシュメモリ１５０は低速動作であるが、カメラの電源がオフされても記憶内容が保存される。
【００４８】
照明ユニット１０１は、発光パネル１０３、反射傘１１８およびＲＧＢ各色の高輝度ＬＥＤ１１９を有する。高輝度ＬＥＤを発した光は、直接に、あるいは反射傘１１８で反射され、発光パネル１０３を通過して物体に向けて照射される。なお、照明ユニット１０１は、カメラ本体から取り外されても、内蔵電池（図示せず）によって無線通信回路が機能する。つまり、照明ユニット１０１は、例えばＵＷＢ規格で無線通信回路１６３を介してカメラ本体（カメラ５０）と通信し、カメラ本体側から遠隔操作できるように構成されている。照明制御回路１４６は、ＣＰＵ１４１の制御の下で、ＲＧＢ各色の光量バランスを決定し、高輝度ＬＥＤ１１９への発光指示を制御する。
【００４９】
図２は信号処理回路１４５の電気回路の構成およびそれに接続される周辺回路を示すブロック図である。信号処理回路１４５には、信号処理動作を制御する制御回路としてのＣＰＵ５００、およびＣＰＵ５００に接続され、ＣＰＵ５００からの制御信号に従って動作する複数の回路が含まれている。また、ＣＰＵ５００は、通信ライン１５３を介してカメラシーケンス制御用のＣＰＵ１４１と接続されており、ＣＰＵ１４１から送信された制御信号に従って、信号処理回路１４５内の各回路を制御する。信号処理回路１４５内には、複数の回路として、第１の画像処理回路５０１、間引き・抽出処理回路５０２、第２の画像処理回路５０６および第３の画像処理回路５０３が設けられている。また、信号処理回路１４５内には、ビデオデコーダ５０４、ホワイトバランス処理回路５０５およびＪＰＥＧ圧縮／伸張処理回路５０７が設けられている。
【００５０】
第１の画像処理回路５０１は、ＣＰＵ５００で設定された駆動条件に従って、撮像素子１２７を駆動し、撮像素子１２７から出力されたアナログ画像信号をＡ／Ｄ変換してデジタル画像信号を生成する前段処理回路である。また、第１の画像処理回路５０１は、撮像素子１２７の遮光部分の画素信号に基づき、デジタル画像信号を補正する。
【００５１】
間引き・抽出処理回路５０２は、第１の画像処理回路５０１から出力されたデジタル画像信号の間引き処理を行い、第２の画像処理回路５０６および第３の画像処理回路５０３に出力する。ここで、間引き処理とは、解像度を低下させる処理である。なお、第３の画像処理回路５０３に出力されるデジタル画像信号は、液晶表示器１０８に表示される電子物体像の信号である。
【００５２】
ここで、第２の画像処理回路５０６に出力されるデジタル画像信号の間引きの度合いは、ユーザが設定した解像度に応じて、ＣＰＵ５００によって指示される。また、第３の画像処理回路５０３に出力されるデジタル画像信号の間引きの度合いは、画像表示に適した解像度になるように、ＣＰＵ５００によって指示される。
【００５３】
また、間引き・抽出処理回路５０２は、上記デジタル画像信号の一部を抽出し、ホワイトバランス処理回路（以下、ＷＢ処理回路という）５０５に出力する。デジタル画像信号の抽出の方法はＣＰＵ１４１によって指示される。
【００５４】
ＷＢ処理回路５０５は、画像の色バランス（ホワイトバランス）を調整するためのホワイトバランス情報（ＷＢ情報）を出力する回路である。このＷＢ情報は、第３の画像処理回路５０３に直接送られ、第２の画像処理回路５０６には、ＣＰＵ１４１を経由して送られる。
【００５５】
第３の画像処理回路５０３は、液晶表示器１０８の表示用画像を生成する回路である。第３の画像処理回路５０３は、簡易後段処理回路として、上記デジタル画像信号に対し、γ補正、データビット数の削減、ＷＢ情報に基づく色調整、ＲＧＢ信号からＹＣｂＣｒ信号ヘの変換等の公知の処理を行う。一般的に、液晶表示器１０８に撮像画像を繰り返し表示する場合、ソフトウェアによる処理では速度が間に合わないことが多い。従って、表示のための画像処理は、全て第３の画像処理回路５０３でハードウェア的に処理されるようになっている。
【００５６】
ビデオデコーダ５０４は、上記デジタル画像信号を構成するＹＣｂＣｒ信号をＮＴＳＣ信号に変換して電子物体像を形成し、この電子物体像を液晶表示器１０８のＬＣＤ１０８ａに表示させる。なお、ＬＣＤ１０８ａの表示面は、バックライト１０８ｂによって、ＣＰＵ１４１で規定された光量で後方から照明される。
【００５７】
第２の画像処理回路５０６は、フラッシュメモリ１５０に記憶するための上記デジタル画像信号を生成する回路である。第２の画像処理回路５０６は、後段処理回路として、γ補正、上記デジタル画像信号のデータビット数の削減、ＷＢ情報に基づく色調整、ＲＧＢ信号からＹＣｂＣｒ信号への変換、撮像素子１２７の欠陥画素補正、スミア補正、色相や色度等の公知の処理を行う。
【００５８】
ＪＰＥＧ圧縮／伸張処理回路５０７は、第２の画像処理回路５０６で処理されたデジタル画像信号をフラッシュメモリ１５０に記憶する際、ＪＰＥＧ圧縮処理を行う。また、ＪＰＥＧ圧縮／伸張処理回路５０７は、フラッシュメモリ１５０に記憶されたＪＰＥＧ画像を読み出して伸張する。
【００５９】
図３はファインダ装置１３０の構成を示す断面図である。図４は図３の矢印Ａ方向から視た場合のファインダ装置１３０の構成を示す側面図である。図１に示す可動ミラー１２４で反射・分岐した光路上には、フォーカシングスクリーン１３１、コンデンサレンズ１８０およびペンタプリズム１３２が設けられている。撮影レンズ１２０のレンズ群１２１、１６７、１２３によってフォーカシングスクリーン１３１上に結像した物体光は、コンデンサレンズ１８０およびペンタプリズム１３２を透過し、面１３２ｂからアイカップ１８６で囲まれた接眼窓１６８の方向へ射出する。この際、物体光は、ダイクロミラー１８２を透過し、３つのレンズ１３３ａ、１３３ｂ、１３３ｃで構成される接眼レンズ１３３を介して、アイカップ１８６に保護されながら接眼窓１６８を覗く観察者の目に到達し、その網膜上で再結像する。
【００６０】
ダイクロミラー１８２は、有機ＥＬ表示素子１８５を発し、ミラー１８４と視度合わせレンズ１８３を透過した光を接眼窓１６８方向に反射する。視野マスク１７９は、撮像素子１２７で撮像される物体像範囲を示す矩形開口を有する。ファインダ観察者は、有機ＥＬ表示素子１８５に示された焦点検出装置１３９の測距点位置情報１９７（図８参照）を視野マスク１７９中の物体像と重ねて見ることができる。
【００６１】
図５は液晶表示器１０８のＬＣＤ１０８ａの画面を示す図である。液晶表示器１０８のＬＣＤ１０８ａは、４：３のアスペクト比を有するカラーの表示部１０８ｃを有する。表示部１０８ｃは、撮像素子１２７と同じ３：２のアスペクト比を有するＬＣＤ表示領域１０８ｄと扁平横長のＬＣＤ表示領域１０８ｅとをそれぞれファインダ視野内の電子画像表示に供している。
【００６２】
また、ＬＣＤ１０８ａのＬＣＤ表示領域１０８ｄを発した光線１９３は、ペンタプリズム１３２の面１３２ｂからペンタプリズム１３２内に入射する。ペンタプリズム１３２内に入射した光線を光線１９２とする。ここで屈折して方向が変化した光線１９２は、次に面１３２ａに入射する。面１３２ａには銀蒸着が施されている。光線１９２はここで反射し、ペンタプリズム１３２に接着により固着されたプリズム１５４に入射する。光線１９２は、銀蒸着が施された面１５４ａで再び反射し、さらに、ペンタプリズム１３２の面１３２ａと連続するプリズム１５４の銀蒸着が施された面１５４ｂに戻ってさらに反射する。そして、光線１９２は、ペンタプリズム１３２の面１３２ｂから接眼窓１６８の方向へ射出する。
【００６３】
このように、プリズム１５４内での反射光路を構成することにより、接眼レンズ１３３からＬＣＤ表示領域１０８ｄまでの光路長は、接眼レンズ１３３からフォーカシングスクリーン１３１までの光路長に近くなる。ＬＣＤ表示領域１０８ｄの視度とフォーカシングスクリーン１３１の視度とはほぼ合致する。
【００６４】
さらに、プリズム１５４の面１５４ａに曲率を付与することで、ＬＣＤ表示領域１０８ｄの視度とフォーカシングスクリーン１３１の視度をより正確に合わせることができる。この際、面１５４ａが平面であっても、もともと両者の視度が近くなっているので、面１５４ａの曲率はごく弱いものでよい。また、面１５４ａの反射光路は偏芯系となるものの、光学諸収差の劣化は無視できる程度である。
【００６５】
図６はペンタプリズム１３２への光線の入射状態を示す図である。ＬＣＤ１０８ａのＬＣＤ表示領域１０８ｄを発した光線１９３のうち、緑色の光線１９３ｇは、ペンタプリズム１３２の面１３２ｂに対して角θ１で斜めに入射し、空気とガラスの界面で屈折し、角θ２でペンタプリズム１３２の内部を進む。ガラスの屈折率の色分散により、光の波長に応じて角θ１と角θ２との関係は異なるので、このままではＬＣＤ表示領域１０８ｄが電子画像表示に供された場合、上下方向の色滲みが発生し、解像感の悪い画像となってしまう。そこで、ＬＣＤ表示領域１０８ｄに表示される電子画像は、予めＲＧＢの画像を色分散によって発生する位置ズレ量だけシフトさせている。
【００６６】
図７はＬＣＤ表示領域１０８ｄに表示される電子画像の位置ズレ状態を示す図である。ＬＣＤ表示領域１０８ｄには、赤色の電子画像１９４ｒ、緑色の電子画像１９４ｇおよび青色の電子画像１９４ｂは上下方向に位置を異ならせてある。この結果、赤色の電子画像１９４ｒ、緑色の電子画像１９４ｇおよび青色の電子画像１９４ｂの対応する位置から発した光線１９３ｒ、１９３ｇ、１９３ｂは、図６に示すように、ペンタプリズム１３２の内部で１本の光線１９２として進行する。そして、最終的に色滲みがほとんど解消された状態で、光線１９２は観察者の目まで到達する。
【００６７】
また、ＬＣＤ１０８ａの表示領域１０８ｅを発した光線１９４（図３参照）は、導光プリズム１８１を経てペンタプリズム１３２の底面からペンタプリズム１３２に入射し、物体光と同じようにペンタプリズム１３２内を反射して面１３２ｂから射出する。
【００６８】
図８はファインダ視野内の表示を示す図である。ファインダ視野内の表示は、第１表示領域１９１、第２表示領域１９０ｄ、第３表示領域１９０ｅおよび測距点位置情報１９７から構成される。第１表示領域１９１は、視野マスク１７９の開口によって規定された物体の光学像を示す。第２表示領域１９０ｄは、第１表示領域１９１の上方にあって、ＬＣＤ１０８ａのＬＣＤ表示領域１０８ｄに基づく画像による情報表示を行う。第３表示領域１９０ｅは、第１表示領域１９１の下方にあって、ＬＣＤ１０８ａのＬＣＤ表示領域１０８ｅに基づく文字列やアイコンによる情報表示を行う。測距点位置情報１９７は、第１表示領域１９１の内部にあって、有機ＥＬ表示素子１８５によって示される。この際、第２表示領域１９０ｄ、第３表示領域１９０ｅおよび測距点位置情報１９７の表示輝度は、いずれも測光センサ１５６および測光レンズ１５５からなる測光装置の出力に基づき、視認するに適切な値に制御される。
【００６９】
図８の第２表示領域１９０ｄに表示される電子画像は、情報表示の１つとして、前回撮影された画像である。この電子画像によれば、光学ローパスフィルタ上に付着した異物が写り込んでしまったことによって、黒点１９５が存在したことが判る。また、撮像素子防振機構１７１が作動したことによって、被写体の上方が欠けた意図しない構図の物体像になってしまっていることが判る。さらには、適切なホワイトバランスが設定されていること、画像がブレていないこと、ピントが物体に合っていることなどが判る。
【００７０】
さらに、画像の属性に対応した所定のマークを画像と同時に表示することによって、その画像に付加された情報を表すことができる。例えば、図８に示したダイヤ形のマーク１９６は、改ざん検知用データ処理回路１６６によって、前回撮影した画像に対し、適切に改ざん検知用データが付加されたことを表している。また、他のカメラで撮影された画像を表示した場合には、改ざん検知判定結果を他のマークで示してもよい。
【００７１】
なお、本実施形態では、液晶表示器１０８を用いたが、この代わりに有機ＥＬ表示器を用いてもよい。この場合、バックライト１０８ｂは不要となる。
【００７２】
上記構成を有するデジタル一眼レフカメラにおいて、ＣＰＵ１４１の動作シーケンスを示す。図９はデジタル一眼レフカメラでスイッチ入力部１４２のレリーズ釦を半押し操作（第１レリーズオン操作）した後に実行される撮像動作手順を示すフローチャートである。このフローチャートは、ＣＰＵ１４１のメインフローチャート内にてコールされるサブルーチンである。なお、ＣＰＵ１４１のメインフローチャートは従来公知の技術であるので、ここでの説明を省略する。
【００７３】
まず、ＣＰＵ１４１は、測光レンズ１５５を介して測光センサ１５６を駆動し、測光を行い、測光センサ１５６からの出力を用いて物体の輝度を測定する（ステップＳ１）。ＣＰＵ１４１は、その輝度情報から露光量（絞り機構１２２の絞り込み量、シャッタ１２６のシャッタスピードおよび撮像素子感度）を所定の演算ブログラムに従って演算する。
【００７４】
ＣＰＵ１４１は、フラッシュメモリ１５０から前回書き込んだ画像データ（デジタル画像信号）を読み出し、ファインダ装置１３０の第２表示領域１９０ｄにその電子画像を表示するように指示する制御信号を、信号処理回路１４５に送出する（ステップＳ２）。信号処理回路１４５は、この制御信号を受けると、上記デジタル画像信号を一時的にＳＤＲＡＭ１４８に格納するとともに、この画像データをコンポジット信号に変換する処理を行う。信号処理回路１４５は、このコンポジット信号を液晶表示器１０８に供給し、ＬＣＤ１０８ａに撮像された電子画像を表示させる。この結果、ファインダ装置１３０の第２表示領域１９０ｄには、前回撮像された電子画像が表示される。なお、既に電子画像が表示されている場合、信号処理回路１４５は、そのまま表示を継続させる。
【００７５】
ＣＰＵ１４１は、バックライト１０８ｂを構成する白色ＬＥＤへの電流供給量を変更することで、バックライト１０８ｂの光量を調整する。ＣＰＵ１４１は、撮像前に測光した物体輝度（輝度情報）に基づき、ＬＣＤ１０８ａに表示された電子物体像を視認するに適切な光量で照明する。
【００７６】
ＣＰＵ１４１は、ＡＦセンサ駆動回路１３７を介してＡＦセンサ１２９を駆動し、撮像レンズ１２０のデフォーカス量（測距値）を測定する（ステップＳ３）。さらに、ＣＰＵ１４１は、この測距値に基づき、レンズ群１２１、１６７、１２３の合焦動作を行う。
【００７７】
この後、ＣＰＵ１４１は、カメラ操作者によってレリーズ釦が深押しされているか否か、つまりスイッチ入力部１４２に接続された第２レリーズスイッチがオンになっているか否かを判別する（ステップＳ４）。
【００７８】
第２レリーズスイッチがオンになっていない場合、ＣＰＵ１４１は、カメラ操作者によってレリーズ釦が半押しされているか否か、つまり第１レリーズスイッチがオンになっているか否かを判別する（ステップＳ１５）。第１レリーズスイッチがオンになっている場合、ＣＰＵ１４１は、レリーズ釦が半押しされている状態であると判断し、ステップＳ１の処理に戻る。一方、第１レリーズスイッチがオンになっていない場合、カメラ操作者がレリーズ釦から指を離したと考えられるので、ＣＰＵ１４１は、そのままメインフローチャートで示されるメインルーチンに復帰する。
【００７９】
一方、ステップＳ４で第２レリーズスイッチがオンになっている場合、ＣＰＵ１４１は、レリーズ釦が深押しされていると判断し、ミラー駆動回路１３６を介して可動ミラー１２４を第１の位置から第２の位置である撮像光路外に退避させる（ステップＳ５）。ＣＰＵ１４１は、ステップＳ５でミラーアップを行った後、ステップＳ１で演算された絞り込み量に基づき、絞り駆動回路１３５を介して絞り機構１２２の絞り込み動作を行う（ステップＳ６）。
【００８０】
ＣＰＵ１４１は、撮像開始を指示する信号を信号処理回路１４５に送出する（ステップＳ７）。信号処理回路１４５は、この信号を受けると、撮像素子１２７の電荷蓄積動作を開始させる。ＣＰＵ１４１は、ステップＳ１で演算されたシャッタスピードに基づき、シャッタ１２６を開閉する（ステップＳ８）。
【００８１】
ＣＰＵ１４１は、シャッタ１２６を閉成した後、信号処理回路１４５に撮像停止を指示する信号を送出する（ステップＳ９）。信号処理回路１４５は、この信号を受けると、撮像素子１２７での電荷蓄積動作を終了させる。さらに、信号処理回路１４５は、撮像素子１２７から画像信号を読み出してアナログデジタル（Ａ／Ｄ）変換を行い、デジタル画像信号に変換する処理、およびこれに付随する画像処理を実行する。
【００８２】
ＣＰＵ１４１は、上記デジタル画像信号の格納および表示を指示する制御信号を信号処理回路１４５に送出する（ステップＳ１０）。信号処理回路１４５は、この信号を受けると、上記デジタル画像信号を一時的にＳＤＲＡＭ１４８の連写データ蓄積領域に順番に格納するとともに、同データをコンポジット信号に変換する処理を行う。信号処理回路１４５は、このコンポジット信号を液晶表示器１０８に供給し、ＬＣＤ１０８ａに撮像された電子画像を表示する。この結果、ファインダ装置１３０の第２表示領域１９０ｄには、その電子画像が表示される。この際、ＣＰＵ１４１は、バックライト１０８ｂを構成する白色ＬＥＤへの電流供給量を変更することで、バックライト１０８ｂの光量を調整する。そして、ＣＰＵ１４１は、撮像前に測光した物体輝度に基づき、ＬＣＤ１０８ａに表示された電子物体像を視認するに適切な光量で照明する。
【００８３】
ＣＰＵ１４１は、絞り駆動回路１３５を介して絞り機構１２２を絞り込み状態から開放状態に戻す（ステップＳ１１）。ＣＰＵ１４１は、ミラー駆動回路１３６を介して可動ミラー１２４を第１の位置である撮像光路内に復帰させる（ステップＳ１２、ミラーダウン）。
【００８４】
ＣＰＵ１４１は、第２レリーズスイッチがオフであるか否かを判別する（ステップＳ１３）。第２レリーズスイッチがオフでない場合、ＣＰＵ１４１は、ステップＳ１の処理に戻り、第２レリーズスイッチがオフになるまでステップＳ１からステップＳ１２までの処理を繰り返す。つまり、この時点で第２レリーズスイッチがオフでない場合、連写は継続される。そして、ファインダ装置１３０には、直前に撮像された電子物体像が動画のように順次表示されることになる。
【００８５】
一方、ステップＳ１３で第２レリーズスイッチがオフである場合、カメラ操作者が連写を終了させようとしていると判断する。この場合、ＣＰＵ１４１は、ＳＤＲＡＭ１４８に一時的に記憶されている連写画像をフラッシュメモリ１５０の所定の記憶領域に記憶するように、信号処理回路１４５に指示する（ステップＳ１４）。この後、ＣＰＵ１４１は、メインルーチンに復帰する。
【００８６】
図１０はＣＰＵ１４１の動作シーケンスに基づくカメラ動作を示すタイミングチャートである。図では、レリーズ釦の半押し操作が行われた後、レリーズ釦の深押し操作によって３コマの撮影が行われ、その後、レリーズ釦の半押し操作が少しの間継続している状態が表されている。
【００８７】
まず、時刻Ｔ１において、第１レリーズスイッチがオフからオンに切り換わると、直ちに測光および露光量演算が行われる。この後、前回撮影された画像Ｓがファインダ装置１３０の第２表示領域１９０ｄに表示される。
【００８８】
時刻Ｔ２において、第２レリーズスイッチがオフからオンに切り換わると、可動ミラー１２４がアップ位置に移動すると共に、撮影レンズ１２０の絞り１２２が絞り込まれる。
【００８９】
時刻Ｔ３において、画像Ａのための撮像素子１２７の電荷蓄積動作が開始され、その間にシャッタ１２６の開閉が行われる。シャッタ１２６が閉じられると、撮像素子１２７の電荷蓄積動作は停止し、画像Ａの画像信号の読み出しおよびＡ／Ｄ変換が開始される。また、絞り１２２の開放動作および可動ミラー１２４のダウン位置への移動動作が行われる。
【００９０】
画像Ａの画像信号の読み出しおよびＡ／Ｄ変換が終了すると、デジタル画像信号は一時的にＳＤＲＡＭ１４８の連写データ蓄積領域に順番に格納される。この画像データはコンポジット信号に変換処理され、このコンポジット信号は液晶表示器１０８に供給されると、ＬＣＤ１０８ａには撮像された画像Ａが表示され、ファインダ装置１３０内の第２表示領域１９０ｄで視認可能となる。なお、画像Ａへの電子画像表示更新指示が出るまで、ファインダ装置１３０の第２表示領域１９０ｄには、画像Ｓが時刻Ｔ１から継続して表示される。
【００９１】
時刻Ｔ４においても、レリーズ釦の深押し操作が継続し、第２レリーズスイッチがオンになっている場合、再び可動ミラー１２４がアップ位置に移動するとともに、撮影レンズ１２０の絞り１２２が絞り込まれる。
【００９２】
時刻Ｔ５において、画像Ｂを撮影するための撮像素子１２７の電荷蓄積動作が開始され、その間にシャッタ１２６の開閉が行われる。シャッタ１２６が閉じられると、撮像素子１２７の電荷蓄積動作は停止し、画像Ｂの画像信号の読み出しおよびＡ／Ｄ変換が開始される。また、絞り１２２の開放動作および可動ミラー１２４のダウン位置への移動動作が行われる。
【００９３】
画像Ｂの画像信号の読み出しおよびＡ／Ｄ変換が終了すると、デジタル画像信号は一時的にＳＤＲＡＭ１４８の連写データ蓄積領域に順番に格納される。この画像データはコンポジット信号に変換処理され、このコンポジット信号は液晶表示器１０８に供給されると、ＬＣＤ１０８ａには撮像された画像Ｂが表示され、ファインダ装置１３０内の第２表示領域１９０ｄで視認可能となる。なお、画像Ｂへの電子画像表示更新指示が出るまで、ファインダ装置１３０の第２表示領域１９０ｄには、画像Ａが表示される。
【００９４】
時刻Ｔ６においても、レリーズ釦の深押し操作が継続し、第２レリーズスイッチがオンになっている場合、時刻Ｔ４、Ｔ５と同様の動作が繰り返され、画像Ｃの撮像動作が行われる。なお、画像Ｃへの電子画像表示更新指示が出るまで、ファインダ装置１３０の第２表示領域１９０ｄには、画像Ｂが表示されている。
【００９５】
時刻Ｔ７において、レリーズ釦の深押し操作が終了し、第２レリーズスイッチがオフになると、連写が終了する。ただし、画像Ｃの画像信号の読み出しおよびＡ／Ｄ変換が行われ、画像Ｃへの表示更新動作は継続して行われる。
【００９６】
時刻Ｔ８において、レリーズ釦の半押し操作が終了し、第１レリーズスイッチがオフになった場合、ファインダ装置１３０の第２表示領域１９０ｄへの電子画像表示は停止する。
【００９７】
なお、上記動作シーケンスにおいて、画像信号の読み出し、Ａ／Ｄ変換、画像データのメモリ（ＳＤＲＡＭ１４８）への格納、絞り１２２の開放、および可動ミラー１２４の第１の位置（ダウン位置）への復帰は、次のコマの撮影準備動作である。この撮影準備動作に同期して第２表示領域１９０ｄに表示される電子画像の更新が行われる。
【００９８】
このように、第１の実施形態のカメラによれば、ファインダから目を離すことなく物体の光学像の観察を可能としたままで、電子画像を以って撮影された画像の状態、カメラの設定状態および撮影補助情報を確認可能とした。従って、シャッタチャンスを逃すといったことのない新規のカメラを実現することができる。より詳細には、ファインダ内に光学像とともに示した電子画像によって、光学ローパスフィルタ上に付着した異物の写り込みや、撮像素子防振機構１７１の作動による構図の変化などを知ることができる。また、ホワイトバランス、画像のブレ、ピントなどの情報も知ることができる。この結果、撮影の失敗を未然に防ぐことが可能である。しかも、撮影した画像の状態を確認する際、光学像が見えたままでファインダから目を離す必要がないので、シャッタチャンスを逃すといったことがなくなる。また、光学像と電子画像が重なっていないので、どちらも良好に視認可能である。また、次のコマの撮影準備動作に同期して電子画像が表示されるので、撮影後、直ちに上記確認を行うことができる。
【００９９】
［第２の実施形態］
図１１は第２の実施形態におけるデジタル一眼レフカメラの一部の構成を示す図である。前記第１の実施形態との構成の差異は、ファインダ装置へ光路を分割するために固定のペリクルミラーを用いていること、これに伴ってミラー駆動回路を必要としないことである。また、撮像素子の出力による山登りＡＦでピント合わせを行い、ＡＦセンサ駆動回路を有さないことである。また、撮像素子を連続的に駆動することで、静止画像ばかりでなく動画像も撮像可能に構成されていることである。
【０１００】
デジタル一眼レフカメラ２００は、照明ユニット２０１、撮影レンズ２２０、固定のペリクルミラー２２４、シャッタ２２６、アスペクト比３：２の矩形の撮像部を有する撮像素子２２７、ファインダ装置２３０および内蔵プリンタ２６０を有する。なお、第２の実施形態のデジタル一眼レフカメラの構成において、特に図示されていない構成要素については、前記第１の実施形態と同様であり、同一の符号が用いられる。
【０１０１】
撮影レンズ２２０は、複数のレンズ群２２１、２６７、２２３で構成され、これらのレンズ群の間には、絞り機構（単に絞りという）２２２が設けられている。複数のレンズ群２２１、２６７、２２３の後方には、固定のペリクルミラー１２４が設けられており、入射する可視光（入射光）をおよそ１対１の割合で透過光および反射光に分割する。固定のペリクルミラー２２４の反射光路上には、フォーカシングスクリーン２３１、ペンタプリズム２３２、接眼レンズ２３３等から構成されるファインダ光学系が設けられている。ファインダ装置２３０は、このファインダ光学系の他、液晶表示器２０８、測光レンズ２５５、測光センサ２５６等を有する。
【０１０２】
撮影レンズ２２０のレンズ群２２１、２６７、２２３を透過した物体光は、固定のペリクルミラー２２４で反射され、フォーカシングスクリーン２３１上に結像される。観察者は、このフォーカシングスクリーン２３１に結像された光学像（物体像）を、ペンタプリズム２３２および接眼レンズ２３３を介し、接眼窓２６８を通して視認する。光学像を観察する利点は、時間遅れが事実上無いことである。
【０１０３】
測光センサ２５６は、測光レンズ２５５を介してフォーカシングスクリーン２３１上の物体像の明るさを測光するセンサである。測光センサ２５６は、ファインダ装置２３０内にあって、測光レンズ２５５とともに、接眼レンズ２３３の観察光軸から偏心した測光軸上の位置に設けられている。また、測光センサ２５６は、複数に分割された受光面を有するフォトダイオードで形成されており、フォトダイオードから個々に出力された輝度信号を用いて、露光制御を行う際の物体輝度情報（ＢＶ値）を求める。
【０１０４】
固定のペリクルミラー２２４の後方には、シャッタ２２６、除塵機構２６９、およびＣＣＤやＣＭＯＳイメージャ等の撮像素子２２７が設けられている。
【０１０５】
シャッタ２２６は、レリーズ釦の半押し操作に連動して開放され、物体像を撮像素子２２７の受光面に導く。撮像素子２２７の受光面に物体像が導かれると、撮像素子２２７の出力を利用して撮影レンズ２２０のレンズ群２２１、２６７、２２３が駆動され、物体へのピント合わせが行われる。なお、除塵機構２６９および撮像素子防振機構２７１の機能は、前記第１の実施形態における除塵機構１６９および撮像素子防振機構１７１の機能と同様である。
【０１０６】
図１２は図１１の矢印ｈ方向から視たファインダ装置２３０の主要部分の構成を示す平面図である。図１３は図１１の矢印ｉ方向から視たファインダ装置２３０の主要部分の構成を示す側面図である。
【０１０７】
固定のペリクルミラー２２４で反射・分岐した光路上には、フォーカシングスクリーン２３１、コンデンサレンズ２８０およびペンタプリズム２３２が設けられている。撮影レンズ２２０のレンズ群２２１、２６７、２２３によってフォーカシングスクリーン２３１上に結像した物体光は、コンデンサレンズ２８０およびペンタプリズム２３２を透過し、面２３２ｃからアイカップ２８６で囲まれた接眼窓２６８の方向へ射出する。さらに、物体光は、ダイクロミラー２８２を透過し、接眼レンズ２３３を介して、アイカップ２８６に保護されながら接眼窓１６８を覗く観察者の目に到達し、その網膜上に再結像する。
【０１０８】
また、ダイクロミラー２８２は、有機ＥＬ表示素子（図示せず）から発せられた光を接眼窓２６８方向に反射する。視野マスク２７９は、撮像素子２２７で撮像される物体像範囲を示す矩形開口を有しており、ファインダ観察者は、有機ＥＬ表示素子によって示された測距点位置情報を視野マスク２７９内の物体像と重ねて見ることができる。
【０１０９】
液晶表示器２０８は、ＬＣＤ２０８ａおよびバックライト２０８ｂから構成される。ＬＣＤ２０８ａは、１６：９のアスペクト比を有するカラーの表示部（ＬＣＤ表示領域）２０８ｄを有し、これをファインダ視野内の電子画像表示に供している。
【０１１０】
ＬＣＤ表示領域２０８ｄを発した光線２９３は、ペンタプリズム２３２の面２３２ｂからペンタプリズム２３２内に入射し、ペンタプリズム２３２の面２３２ｃから射出する。接眼レンズ２３３からＬＣＤ表示領域２０８ｄまでの光路長は、接眼レンズ２３３からフォーカシングスクリーン２３１までの光路長に近く、ＬＣＤ表示領域２０８ｄの視度とフォーカシングスクリーン２３１の視度とは実質的に合致する。
【０１１１】
図１４はファインダ視野内の表示を示す図である。ファインダ視野内の表示は、接眼窓２６８を通して観察可能な第１表示領域２９１、第２表示領域２９０ｄ、第３表示領域２４０、第４表示領域２４１および測距点位置情報２９７から構成される。第１表示領域２９１は、視野マスク２７９の開口によって規定された被写体である物体の光学像を示す。第２表示領域２９０ｄは、第１表示領域２９１の右側方にあって、ＬＣＤ２０８ａのＬＣＤ表示領域２０８ｄに基づく画像による情報表示を行う。第３表示領域２４０は、第１表示領域２９１の下方にあって、文字列やアイコンによる情報表示を行う。第４表示領域２４１は、第１表示領域２９１の右側方にあって、文字列やアイコンによる情報表示を行う。測距点位置情報２９７は、第１表示領域２９１の内部にあって、有機ＥＬ表示素子によって示される。
【０１１２】
この際、第２表示領域２９０ｄ、第３表示領域２４０、第４表示領域２４１および測距点位置情報２９７の表示輝度は、いずれも測光センサ２５６および測光レンズ２５５からなる測光装置の出力に基づき、視認するに適切な値に制御される。
【０１１３】
縦長の形状を有する第２表示領域２９０ｄに表示されている電子画像は、情報表示の１つとして、画素の間引きを行って秒間６０コマ程度のフレームレートに高めた、リアルタイムの撮影画像（ＥＶＦ（エレクトリックビューファインダー）画像）である。第２表示領域２９０ｄには、測距点位置情報２９７付近の部分画像が表示されている。このＥＶＦ画像によって、光学ローパスフィルタ上に付着した異物の写り込み、撮像素子防振機構２７１の作動による構図の変化、ホワイトバランス、画像のピントなどを知ることができる。また、撮像素子２２７の全画面から撮像エリアを切り出すクロップ機能を搭載し、ＥＶＦ画像をこの切り出した画像としてもよい。
【０１１４】
図１５はＣＰＵ１４１の動作シーケンスに基づくカメラ動作を示すタイミングチャートである。ここでは、レリーズ釦の半押し操作が行われた後、レリーズ釦の深押し操作によって３コマの撮影が行われ、その後、レリーズ釦の半押し操作が少しの間継続している状態が表されている。
【０１１５】
まず、時刻Ｔ１において、第１レリーズスイッチがオフからオンに切り換わると、直ちに測光および露光量演算が行われる。この後、シャッタ２２６が開放され、秒間６０コマ程度のフレームレートで、撮像素子２２７によってリアルタイム画像Ｒ１が撮像され、ファインダ装置２３０の第２表示領域２９０ｄに表示される。
【０１１６】
時刻Ｔ２において、第２レリーズスイッチがオフからオンに切り換わると、撮影レンズ２２０の絞り２２２が絞り込まれる。
【０１１７】
時刻Ｔ３において、画像Ａのための撮像素子２２７の電荷蓄積動作が開始され、所定の秒時が経過すると、撮像素子２２７の電荷蓄積動作は停止し、画像Ａの画像信号の読み出しおよびＡ／Ｄ変換が行われるとともに、絞り２２２の開放動作が行われる。画像Ａの画像信号の読み出しおよびＡ／Ｄ変換が終了すると、デジタル画像信号は一時的にＳＤＲＡＭ１４８の連写データ蓄積領域に順番に格納される。デジタル画像信号（画像データ）はコンポジット信号に変換処理される。
【０１１８】
このコンポジット信号は液晶表示器２０８に供給されると、ＬＣＤ２０８ａには撮像された電子画像Ａが表示され、ファインダ装置２３０内の第２表示領域２９０ｄで視認可能となる。なお、画像Ａへの電子画像表示更新指示が出るまで、ファインダ装置２３０の第２表示領域２９０ｄには、画像Ｒ１が時刻Ｔ１から継続して表示されている。
【０１１９】
時刻Ｔ４においても、レリーズ釦の深押し操作が継続し、第２レリーズスイッチがオンになっているので、再び撮影レンズ２２０の絞り２２２が絞り込まれる。
【０１２０】
時刻Ｔ５において、画像Ｂのための撮像素子２２７の電荷蓄積動作が開始され、所定の秒時が経過すると、撮像素子２２７の電荷蓄積動作は停止し、画像Ｂの画像信号の読み出しおよびＡ／Ｄ変換が行われるとともに、絞り２２２の開放動作が行われる。
【０１２１】
画像Ｂの画像信号の読み出しおよびＡ／Ｄ変換が終了すると、デジタル画像信号は一時的にＳＤＲＡＭ２４８の連写データ蓄積領域に順番に格納される。デジタル画像信号（画像データ）はコンポジット信号に変換処理される。
【０１２２】
このコンポジット信号は液晶表示器２０８に供給されると、ＬＣＤ２０８ａには撮像された電子画像Ｂが表示され、ファインダ装置２３０内の第２表示領域２９０ｄで視認可能となる。なお、画像Ｂへの電子画像表示更新指示が出るまで、ファインダ装置２３０の第２表示領域２９０ｄには、画像Ａが表示される。
【０１２３】
時刻Ｔ６においてもレリーズ釦の深押し操作が継続し、第２レリーズスイッチがオンになっているので、時刻Ｔ４以降と同様の動作が繰り返され、画像Ｃの撮像動作が行われる。
【０１２４】
時刻Ｔ７において、レリーズ釦の深押し操作が終了し、第２レリーズスイッチがオフになったので、連写が終了する。ただし、画像Ｃの画像信号の読み出しおよびＡ／Ｄ変換は、継続して行われる。その後、再び秒間６０コマ程度のフレームレートで、撮像素子２２７によってリアルタイム画像Ｒ２が撮像され、ファインダ装置２３０内の第２表示領域２９０ｄに表示される。
【０１２５】
時刻Ｔ８において、レリーズ釦を半押し操作が終了し、第１レリーズスイッチがオフになったので、ファインダ装置２３０内の第２表示領域２９０ｄへの電子画像表示は停止し、シャッタ２２６が閉じられる。
【０１２６】
上記動作シーケンスにおいて、画像信号の読み出し、Ａ／Ｄ変換、画像データのメモリへの格納および絞り２２２の開放は、次のコマの撮影準備動作である。
【０１２７】
このように、第２の実施形態のカメラによれば、第２表示領域内のＥＶＦ画像によって、光学ローパスフィルタ上に付着した異物の写り込み、撮像素子防振機構の作動による構図の変化、ホワイトバランス、画像のピントなどを知ることができる。従って、撮影の失敗を未然に防ぐことが可能である。しかも、ファインダから目を離す必要がないので、光学像は見えたままであって、電子画像の状態を確認するためにシャッタチャンスを逃すことが無くなる。また、光学像と電子画像とが重なっていないので、どちらも良好に視認可能である。また、次のコマの撮影準備動作に同期して電子画像が表示されるので、撮影後直ちに上記確認を行うことができる。
【０１２８】
［第３の実施形態］
図１６は第３の実施形態におけるデジタル一眼レフカメラの一部の構成を示す図である。前記第２の実施形態との構成の差異は、ファインダ装置への光路を分割するためにプリズム状のビームスプリッタを用いていること、およびファインダ装置へ可視光を、撮像装置へ赤外光を導くことである。また、ミラー駆動回路を必要としないこと、および撮像素子の出力による山登りＡＦでピント合わせを行うので、ＡＦセンサ駆動回路を有さないことは、前記第２の実施形態と同様である。
【０１２９】
デジタル一眼レフカメラ３００は、赤外照明ユニット３０１、撮影レンズ３２０、プリズムビームスプリッタ３２４、シャッタ３２６、アスペクト比３：２の矩形の撮像部を有する撮像素子３２７、ファインダ装置３３０および内蔵プリンタ３６０を有する。赤外照明ユニット３０１は、発光パネル３０３、反射傘３１８および可視光のためのＲＧＢと赤外光のためのＩＲ各色の高輝度ＬＥＤ３１９を有する。なお、第３の実施形態のデジタル一眼レフカメラの構成において、特に図示されていない構成要素については、前記第１の実施形態と同様であり、同一の符号が用いられる。
【０１３０】
撮影レンズ３２０は、複数のレンズ群３２１、３６７、３２３で構成される。これらのレンズ群の間には、絞り機構（単に絞りという）３２２が設けられている。
【０１３１】
レンズ群３２１、３６７、３２３の後方には、プリズムビームスプリッタ３２４が設けられている。このプリズムビームスプリッタ３２４は、入射光に含まれる可視光を反射し、入射光に含まれる赤外光を透過する。プリズムビームスプリッタ３２４の反射光路上には、フォーカシングスクリーン３３１、光学ガラスからなるペンタプリズム３３２、接眼レンズ３３３などからなるファインダ光学系が設けられている。ファインダ装置３３０は、このファインダ光学系に、液晶表示器３０８、測光レンズ３５５および測光センサ３５６を加えて構成される。図１７はファインダ装置３３０の主要部分の構成を示す断面図である。
【０１３２】
撮影レンズ３２０内のレンズ群３２１、３６７、３２３を透過した物体光は、プリズムビームスプリッタ３２４で反射され、フォーカシングスクリーン３３１上に結像される。観察者は、フォーカシングスクリーン３３１上に結像された光学物体像を、ペンタプリズム３３２と、レンズ３３３ａ、３３３ｂ、３３３ｃで構成される接眼レンズ３３３を介し、接眼窓３６８を通して視認する。光学像を観察する利点は、時間遅れが事実上無いこと、可視光による物体そのままの色を観察できることである。
【０１３３】
測光センサ３５６は、測光レンズ３５５を介してフォーカシングスクリーン３３１上の物体像の放射強度を測定するためのセンサであり、可視光に対して出力する。また、測光センサ３５６は、ファインダ装置３３０内にあって、測光レンズ３５５とともに、接眼レンズ３３３の観察光軸から偏心した測光軸上の位置に設けられている。また、測光センサ３５６は、複数に分割された受光面を有するフォトダイオードで形成されており、フォトダイオードから個々に出力された輝度出力に対し、赤外線露光制御を行うための物体輝度情報を求める。
【０１３４】
プリズムビームスプリッタ３２４の後方には、シャッタ３２６、除塵機構３６９、およびＣＣＤやＣＭＯＳイメージャ等の撮像素子３２７が設けられている。シャッタ３２６は、レリーズ釦の半押し操作に連動して開放し、物体像を撮像素子３２７の受光面に導くものである。撮像素子３２７の受光面に物体像が導かれると、この出力を利用して撮影レンズ３２０のレンズ群３２０、３６７、３２３が駆動され、物体へのピント合わせが行われる。なお、除塵機構３６９および撮像素子防振機構３７１の機能は、それぞれ前記第１の実施形態における除塵機構１６９および撮像素子防振機構１７１と同様である。
【０１３５】
プリズムビームスプリッタ３２４で反射・分岐した光路上には、フォーカシングスクリーン３３１、プリズムと凸レンズが一体化されたコンデンサレンズ３８０、およびペンタプリズム３３２が設けられている。
【０１３６】
撮影レンズ３２０内のレンズ群３２１、３６７、３２３によってフォーカシングスクリーン３３１上に結像した物体光は、コンデンサレンズ３８０およびペンタプリズム３３２を透過し、面３３２ｂからアイカップ３８６で囲まれた接眼窓３６８の方向へ射出する。さらに、物体光は、接眼レンズ３３３を介して、アイカップ３８６に保護されながら接眼窓１６８を覗く観察者の目に到達し、その網膜上に再結像する。
【０１３７】
ペンタプリズム３３２の下面３３２ｃは、コンデンサレンズ３８０のプリズム形状に沿った形の傾斜面となっており、コンデンサレンズ３８０からペンタプリズム３３２への光軸が傾かないようになっている。
【０１３８】
液晶表示器３０８は、ＬＣＤ３０８ａおよびバックライト３０８ｂから構成される。図１８はＬＣＤ３０８ａの表示面を示す図である。ＬＣＤ３０８ａは、１６：９のアスペクト比を有するカラーの表示部３０８ｃを有し、表示部３０８ｃの中のＬＣＤ表示領域３０８ｄをファインダ視野内の電子画像表示に、ＬＣＤ表示領域３０８ｅを文字列やアイコンによる情報表示に供している。
【０１３９】
ＬＣＤ３０８ａ内のＬＣＤ表示領域３０８ｄ、３０８ｅを発した光線３９３は、ペンタプリズム３３２に固着されているプリズム３５４の面３５４ａから入射し、アルミニウム蒸着された面３５４ｂで反射してペンタプリズム３３２に入る。さらに、光線３９３は、ペンタプリズム３３２の内部で２回反射した後、傾斜を付与した面３３２ｃで全反射し、面３３２ｂから射出する。
【０１４０】
ここで、接眼レンズ３３３からＬＣＤ表示領域３０８ｄまでの光路長と、接眼レンズ３３３からフォーカシングスクリーン３３１までの光路長はほぼ等しく、ＬＣＤ表示領域３０８ｄの視度とフォーカシングスクリーン３３１の視度とは実質的に合致する。
【０１４１】
図１９はファインダ視野内の表示を示す図である。ファインダ視野内の表示は、第１表示領域３９１、第２表示領域３９０ｄおよび第３表示領域３９０ｅから構成される。第１表示領域３９１は、視野マスクの開口によって規定された被写体である物体の光学像を示す。第２表示領域３９０ｄは、第１表示領域３９１の下方にあって、ＬＣＤ３０８ａのＬＣＤ表示領域３０８ｄに基づく情報表示を行う。第３表示領域３９０ｅは、第１表示領域３９１の下方にあって、ＬＣＤ３０８ａのＬＣＤ表示領域３０８ｅに基づく文字列やアイコンによる情報表示を行う。この際、第２表示領域３９０ｄおよび第３表示領域３９０ｅの表示輝度は、いずれも測光センサ３５６および測光レンズ３５５からなる測光装置の可視光出力に基づいて視認するに適切な値に制御される。
【０１４２】
横長の形状を有する第２表示領域３９０ｄに表示されている電子画像は、情報表示の１つとして、画素を間引いて秒間６０コマ程度のフレームレートに高めたリアルタイムの撮影画像（ＥＶＦ画像）である。この電子画像によって、赤外光による物体像の写り具合の確認、光学ローパスフィルタ上に付着した異物の写り込み、撮像素子防振機構３７１の作動による構図の変化、ホワイトバランス、画像のピントなどを知ることができる。
【０１４３】
図２０はＣＰＵ１４１の動作シーケンスに基づくカメラ動作を示すタイミングチャートである。ここでは、レリーズ釦の半押し操作が行われた後、レリーズ釦の深押し操作によって３コマの撮影が行われ、その後、レリーズ釦の半押し操作が少しの間継続している状態が表されている。
【０１４４】
まず、時刻Ｔ１において、第１レリーズスイッチがオフからオンに切り換わると、直ちに測光および露光量演算が行われる。この後、シャッタ３２６が開放され、撮像素子３２７で秒間６０コマ程度のフレームレートでリアルタイム画像Ｉ１が撮像され、ファインダ装置３３０の第２表示領域３９０ｄに表示される。
【０１４５】
時刻Ｔ２において、第２レリーズスイッチがオフからオンに切り換わると、撮影レンズ３２０の絞り３２２が絞り込まれる。
【０１４６】
時刻Ｔ３において、画像Ａのための撮像素子３２７の電荷蓄積動作が開始され、所定の秒時が経過すると、撮像素子３２７の電荷蓄積動作は停止し、画像Ａの画像信号の読み出しおよびＡ／Ｄ変換が行われるとともに、絞り３２２の開放動作が行われる。
【０１４７】
画像Ａの画像信号の読み出しおよびＡ／Ｄ変換が終了すると、デジタル画像信号が一時的にＳＤＲＡＭ１４８の連写データ蓄積領域に順番に格納される。この間、電子画像表示はリアルタイム画像の最終コマでフリーズした表示（フリーズ表示）となる。
【０１４８】
時刻Ｔ４においても、レリーズ釦の深押し操作が継続し、第２レリーズスイッチがオンになっているので、再び撮影レンズ３２０の絞り３２２が絞り込まれる。
【０１４９】
時刻Ｔ５において、画像Ｂのための撮像素子３２７の電荷蓄積動作が開始され、所定の秒時が経過すると、撮像素子３２７の電荷蓄積動作は停止し、画像Ｂの画像信号の読み出しおよびＡ／Ｄ変換が行われるとともに、絞り３２２の開放動作が行われる。
【０１５０】
画像Ｂの画像信号の読み出しおよびＡ／Ｄ変換が終了すると、デジタル画像信号は一時的にＳＤＲＡＭ１４８の連写データ蓄積領域に順番に格納される。この間、電子画像表示はリアルタイム画像の最終コマでフリーズ表示のままである。
【０１５１】
時刻Ｔ６においても、レリーズ釦の深押し操作が継続し、第２レリーズスイッチがオンになっているので、時刻Ｔ４以降の動作が繰り返され、画像Ｃの撮像動作が行われる。
【０１５２】
時刻Ｔ７において、レリーズ釦の深押し操作が終了し、第２レリーズスイッチがオフになったので、連写が終了する。ただし、画像Ｃの画像信号の読み出しおよびＡ／Ｄ変換は継続して行われる。その後、再び秒間６０コマ程度のフレームレートでリアルタイム画像Ｉ２が撮像され、ファインダ装置３３０の第２表示領域３９０ｄに表示される。
【０１５３】
時刻Ｔ８において、レリーズ釦を半押し操作が終了し、第１レリーズスイッチがオフになったので、ファインダ装置３３０内の第２表示領域３９０ｄへの電子画像表示は停止し、シャッタ３２６が閉じられる。
【０１５４】
なお、上記動作シーケンスにおいて、画像信号の読み出し、Ａ／Ｄ変換、画像データのメモリへの格納および絞り３２２の開放は、次のコマの撮影準備動作である。
【０１５５】
第３の実施形態の赤外線カメラによれば、ＥＶＦ画像によって、赤外光による物体像の写り具合、光学ローパスフィルタ上に付着した異物の写り込み、撮像素子防振機構の作動による構図の変化、ホワイトバランス、画像のピントなどを知ることができる。従って、撮影の失敗を未然に防ぐことが可能である。しかも、ファインダから目を離す必要がないので、ＥＶＦ画像の確認のためにシャッタチャンスを逃すこともない。また、光学像を用いることで、可視光による自然な色合いのまま物体を捕捉することができる。また、光学像と電子画像が重なっていないので、どちらも良好に視認可能である。
【０１５６】
［第４の実施形態］
第４の実施形態におけるカメラの構成は、前記第１の実施形態と同一であるので、その説明を省略する。第４の実施形態では、電子画像による情報表示として、地図情報を表示する場合を示す。この地図情報の表示は、撮像素子１２７によって光学像が変換された電子画像をＬＣＤ１０８ａ内のＬＣＤ表示領域１０８ｄに表示しないときに行われる。
【０１５７】
図２１は第４の実施形態におけるファインダ視野内の表示を示す図である。第２表示領域１９０ｄに表示されている電子画像は、情報表示の１つとして、撮影地点を含む地図情報である。第１表示領域１９１に示されている光学像は、撮影レンズ１２０で捉えた被写界の物体像である。
【０１５８】
地図情報は、無線通信回路１６３でワイアレスＬＡＮによるインターネット接続を行い、ＧＰＳ回路１６２で取得したカメラの位置座標を基に得られる。地図情報は、衛星から捉えた地上の写真であったり、電子地図を画像化したものである。
【０１５９】
この電子画像によれば、どこからどの方向に向かって撮影が行われているかを視覚的に捉えることができる。しかも、ファインダから目を離す必要がないので、地図という撮影補助情報を確認するために、シャッタチャンスを逃すことはなくなる。また、光学像と電子画像が重なっていないので、どちらも良好に視認可能である。
【０１６０】
図２２は印刷された地図情報を示す図である。地図情報４０３は、プリンタ制御回路１６１から内蔵プリンタ１６０を制御し、撮像された画像４０２とともに、単一のプリント用紙４０１上に印刷可能である。こうすることによって、プリントしてからの時間が経過したときに、どこで撮影された画像であるかが分からなくなってしまうといったトラブルを防ぐことができる。
【０１６１】
また、赤外線通信回路１７０を使って、携帯電話からそのキーボードで入力した文字列を、例えばＩｒＤＡ規格に則って、カメラ５０に送り、文字列４０４のように画像４０２や地図情報４０３とともに印刷してもよい。
【０１６２】
このように、第４の実施形態のカメラによれば、電子画像として、地図情報を表示した場合、どこからどの方向に向かって撮影が行われているかを視覚的に捉えることができるとともに、シャッタチャンスを逃すことがなくなる。
【０１６３】
［第５の実施形態］
第５の実施形態におけるカメラの構成は、前記第１の実施形態と同一であるので、その説明を省略する。第５の実施形態では、電子画像による情報表示として、他のカメラで撮影した静止画像を表示する場合を示す。この他のカメラで撮影した静止画像の表示は、撮像素子１２７によって光学像が変換された電子画像をＬＣＤ１０８ａ内のＬＣＤ表示領域１０８ｄに表示しないときに行われる。
【０１６４】
図２３は第５の実施形態におけるＣＰＵ１４１の動作シーケンスに基づくカメラ動作を示すタイミングチャートである。ここでは、レリーズ釦の半押し操作が行われた後、レリーズ釦の深押し操作によって３コマの撮影が行われ、その後、レリーズ釦の半押し操作が少しの間継続している状態が表されている。
【０１６５】
まず、時刻Ｔ１において、第１レリーズスイッチがオフからオンに切り換わると、直ちに測光および露光量演算が行われる。
【０１６６】
時刻Ｔ２において、第２レリーズスイッチがオフからオンに切り換わると、可動ミラー１２４がアップ位置に移動するとともに、撮影レンズ１２０の絞り１２２が絞り込まれる。
【０１６７】
時刻Ｔ３において、画像Ａのための撮像素子１２７の電荷蓄積動作が開始され、その間にシャッタ１２６の開閉が行われる。シャッタ１２６が閉じられると、撮像素子１２７の電荷蓄積動作は停止し、画像Ａの画像信号の読み出しおよびＡ／Ｄ変換が行われる。さらに、絞り１２２の開放動作、および可動ミラー１２４のダウン位置への移動動作が行われる。そして、画像Ａの画像信号の読み出しおよびＡ／Ｄ変換が終了すると、デジタル画像信号は一時的にＳＤＲＡＭ１４８の連写データ蓄積領域に順番に格納される。
【０１６８】
時刻Ｔ４において、無線通信回路１６３を経由してワイアレスＬＡＮを経由してインターネットに接続されたサーバ装置から、他のカメラで撮影された画像の画像が送られてきたことを知らせる割り込み信号が発生する。ＣＰＵ１４１は、この割り込み信号を受けると、信号処理回路１４５に対し、その画像データＴ１をコンポジット信号に変換する変換処理を行うように指示する。信号処理回路１４５は、その画像データＴ１をコンポジット信号に変換し、このコンポジット信号を液晶表示器１０８に供給し、ＬＣＤ１０８ａに受信した電子画像Ｔ１を表示する。これにより、ファインダ装置１３０内の第２表示領域１９０ｄで、その電子画像が視認可能となる。
【０１６９】
時刻Ｔ５においても、レリーズ釦の深押し操作が継続し、第２レリーズスイッチがオンになっているので、再び可動ミラー１２４がアップ位置に移動するとともに、撮影レンズ１２０の絞り１２２が絞り込まれる。
【０１７０】
時刻Ｔ６において、画像Ｂのための撮像素子１２７の電荷蓄積動作が開始され、その間にシャッタ１２６の開閉が行われる。シャッタ１２６が閉じられると、撮像素子１２７の電荷蓄積動作は停止し、画像Ｂの画像信号の読み出しおよびＡ／Ｄ変換が行われる。さらに、絞り１２２の開放動作、および可動ミラー１２４のダウン位置への移動動作が行われる。画像Ｂの画像信号の読み出しおよびＡ／Ｄ変換が終了すると、デジタル画像信号は一時的にＳＤＲＡＭ１４８の連写データ蓄積領域に順番に格納される。
【０１７１】
時刻Ｔ７においても、レリーズ釦の深押し操作が継続し、第２レリーズスイッチがオンになっているので、時刻Ｔ５以降の動作が繰り返され、画像Ｃが撮像される。
【０１７２】
時刻Ｔ８において、レリーズ釦の深押し操作が終了し、第２レリーズスイッチがオフになったので、連写が終了する。ただし、画像Ｃの画像信号の読み出しおよびＡ／Ｄ変換は継続して行われる。
【０１７３】
時刻Ｔ９において、無線通信回路１６３を経由してワイアレスＬＡＮでインターネットに接続されたサーバ装置から他のカメラで撮影された画像が送られてきたことを知らせる割り込み信号が発生する。ＣＰＵ１４１は、この割り込み信号を受けると、信号処理回路１４５に対し、その画像データＴ２をコンポジット信号に変換する変換処理を行うように指示する。信号処理回路１４５は、その画像データＴ２をコンポジット信号に変換し、このコンポジット信号を液晶表示器１０８に供給し、ＬＣＤ１０８ａに受信した電子画像Ｔ２を表示する。これにより、ファインダ装置１３０内の第２表示領域１９０ｄで、その電子画像が視認可能となる。
【０１７４】
時刻Ｔ１０において、レリーズ釦の半押し操作が終了し、第１レリーズスイッチがオフになったので、ファインダ装置１３０内の第２表示領域１９０ｄへの電子画像表示が停止する。
【０１７５】
このように、第５の実施形態におけるカメラによれば、他のカメラで撮影された画像を知ることができるので、新聞社や通信社において、取材チームの他のカメラマンがどんな写真を撮ったかを認識することができる。従って、取材チーム内の連携をより密に図ることができる。しかも、ファインダから目を離す必要がなく、光学像は見えたままであるので、他のカメラで撮影された画像である撮影補助情報を確認するために、シャッタチャンスを逃すことはなくなる。また、光学像と電子画像は重なっていないので、どちらも良好に視認可能である。
【０１７６】
［第６の実施形態］
第６の実施形態におけるカメラの構成は、前記第１の実施形態と同一であるので、その説明を省略する。第６の実施形態では、電子画像による情報表示として、他のカメラ、特にテレビ放送用のテレビカメラで撮影された動画像（テレビ放送の映像）を表示する場合を示す。このテレビ放送の映像表示は、撮像素子１２７によって光学像が変換された電子画像をＬＣＤ１０８ａ内のＬＣＤ表示領域１０８ｄに表示しないときに行われる。
【０１７７】
図２４はＣＰＵ１４１の動作シーケンスに基づくカメラ動作を示すタイミングチャートである。ここでは、レリーズ釦の半押し操作が行われた後、レリーズ釦の深押し操作によって３コマの撮影が行われ、その後、レリーズ釦の半押し操作が少しの間継続している状態が示されている。
【０１７８】
まず、時刻Ｔ１において、第１レリーズスイッチがオフからオンに切り換わると、直ちに測光および露光量演算が行われる。これと同時に、デジタルテレビチューナ１６４を起動し、テレビ放送を受信する。
【０１７９】
ＣＰＵ１４１は、信号処理回路１４５に対し、デジタルテレビチューナ１６４からの画像データＶをコンポジット信号に変換する変換処理を行うように指示する。信号処理回路１４５は、その画像データＶをコンポジット信号に変換し、このコンポジット信号を液晶表示器１０８に供給し、ＬＣＤ１０８ａに受信した電子画像（映像）Ｖを表示する。これにより、ファインダ装置１３０内の第２表示領域１９０ｄで、その電子画像（映像）が視認可能となる。
【０１８０】
時刻Ｔ２において、第２レリーズスイッチがオフからオンに切り換わると、可動ミラー１２４がアップ位置に移動するとともに、撮影レンズ１２０の絞り１２２が絞り込まれる。
【０１８１】
時刻Ｔ３において、画像Ａのための撮像素子１２７の電荷蓄積動作が開始され、その間にシャッタ１２６の開閉が行われる。シャッタ１２６が閉じられると、撮像素子１２７の電荷蓄積動作は停止し、画像Ａの画像信号の読み出しおよびＡ／Ｄ変換が行われる。さらに、絞り１２２の開放動作、および可動ミラー１２４のダウン位置への移動動作が行われる。そして、画像Ａの画像信号の読み出しおよびＡ／Ｄ変換が終了すると、デジタル画像信号は一時的にＳＤＲＡＭ１４８の連写データ蓄積領域に順番に格納される。
【０１８２】
時刻Ｔ４においても、レリーズ釦の深押し操作が継続し、第２レリーズスイッチがオンになっているので、再び可動ミラー１２４がアップ位置に移動するとともに、撮影レンズ１２０の絞り１２２が絞り込まれる。
【０１８３】
時刻Ｔ５において、画像Ｂのための撮像素子１２７の電荷蓄積動作が開始され、その間にシャッタ１２６の開閉が行われる。シャッタ１２６が閉じられると、撮像素子１２７の電荷蓄積動作は停止し、画像Ｂの画像信号の読み出しおよびＡ／Ｄ変換が行われる。さららに、絞り１２２の開放動作、および可動ミラー１２４のダウン位置への移動動作が行われる。そして、画像Ｂの画像信号の読み出しおよびＡ／Ｄ変換が終了すると、デジタル画像信号は一時的にＳＤＲＡＭ１４８の連写データ蓄積領域に順番に格納される。
【０１８４】
時刻Ｔ６においても、レリーズ釦の深押し操作が継続し、第２レリーズスイッチがオンになっているので、時刻Ｔ５以降の動作が繰り返され、画像Ｃが撮像される。
【０１８５】
時刻Ｔ７において、レリーズ釦の深押し操作が終了し、第２レリーズスイッチがオフになったので、連写が終了する。ただし、画像Ｃの画像信号の読み出しおよびＡ／Ｄ変換は継続して行われる。
【０１８６】
時刻Ｔ８において、レリーズ釦を半押し操作が終了し、第１レリーズスイッチがオフになったので、ファインダ装置１３０内の第２表示領域１９０ｄへの電子画像表示が停止する。電子画像表示が停止されるまで、ファインダ装置１３０内の第２表示領域１９０ｄには、テレビ放送の画像（映像）Ｖが時刻Ｔ１から継続して表示されている。
【０１８７】
図２５はファインダ視野内の表示を示す図である。第２表示領域１９０ｄには、テレビ放送の映像として、例えばサッカーなどのスポーツ中継の映像が表示されている。サッカーなどのスポーツ中継では、スタジアム上方から、俯瞰した映像が多用され、ゲームの全体像が視聴者に掴みやすいように構成されている。一方、動感を伝える迫力ある写真は、上方から俯瞰した全体像を写したものではなく、特定の人物が大写しにされたものである場合が多い。
【０１８８】
このような写真を撮影するためには、人物とカメラとの距離に見合った焦点距離の撮影レンズ１２０を選択することになる。しかしながら、人物を大写しにするような撮影倍率でファインダを覗きながら、ゲームの全体像を把握することは極めて難しく、通常、シャッタチャンスを捉えるには多くの経験が必要であった。
【０１８９】
このように、第６の実施形態におけるカメラによれば、ファインダ装置１３０内の第２表示領域１９０ｄに表示されたテレビ放送の映像によって全体像を把握しつつ、同時に第１表示領域１９１で撮影レンズ１２０による光学像で物体のアップを狙える。従って、シャッタチャンスを容易に捉えることができる。しかも、ファインダから目を離す必要がなく、光学像は見えたままであるので、テレビ放送の映像という撮影補助情報を確認するために、シャッタチャンスを逃してしまうことが無くなる。
【０１９０】
以上それぞれの実施形態では、液晶表示器のレイアウト位置や、液晶表示器に何を表示するかについて、また、ファインダ光学系と撮像素子に光路を配分する方式について、所定の組み合わせを例に説明した。しかし、本発明の特徴はこれらの組み合わせに限定されることは無い。例えば、第１の実施形態の液晶表示器のレイアウトで、第２の実施形態のようにペリクルミラーを用いてＥＶＦを実現しても良いし、第３の実施形態の表示器に第４の実施形態のように地図情報を表示しても良い。
【図面の簡単な説明】
【０１９１】
【図１】第１の実施形態におけるデジタル一眼レフカメラの電気回路の概略的構成を示す図である。
【図２】信号処理回路１４５の電気回路の構成およびそれに接続される周辺回路を示すブロック図である。
【図３】ファインダ装置１３０の構成を示す断面図である。
【図４】図３の矢印Ａ方向から視た場合のファインダ装置１３０の構成を示す側面図である。
【図５】液晶表示器１０８のＬＣＤ１０８ａの画面を示す図である。
【図６】ペンタプリズム１３２への光線の入射状態を示す図である。
【図７】ＬＣＤ表示領域１０８ｄに表示される電子画像の位置ズレ状態を示す図である。
【図８】ファインダ視野内の表示を示す図である。
【図９】デジタル一眼レフカメラでスイッチ入力部１４２のレリーズ釦を半押し操作した後に実行される撮像動作手順を示すフローチャートである。
【図１０】ＣＰＵ１４１の動作シーケンスに基づくカメラ動作を示すタイミングチャートである。
【図１１】第２の実施形態におけるデジタル一眼レフカメラの一部の構成を示す図である。
【図１２】図１１の矢印ｈ方向から視たファインダ装置２３０の主要部分の構成を示す平面図である。
【図１３】図１１の矢印ｉ方向から視たファインダ装置２３０の主要部分の構成を示す側面図である。
【図１４】ファインダ視野内の表示を示す図である。
【図１５】ＣＰＵ１４１の動作シーケンスに基づくカメラ動作を示すタイミングチャートである。
【図１６】第３の実施形態におけるデジタル一眼レフカメラの一部の構成を示す図である。
【図１７】ファインダ装置３３０の主要部分の構成を示す断面図である。
【図１８】ＬＣＤ３０８ａの表示面を示す図である。
【図１９】ファインダ視野内の表示を示す図である。
【図２０】ＣＰＵ１４１の動作シーケンスに基づくカメラ動作を示すタイミングチャートである。
【図２１】第４の実施形態におけるファインダ視野内の表示を示す図である。
【図２２】印刷された地図情報を示す図である。
【図２３】第５の実施形態におけるＣＰＵ１４１の動作シーケンスに基づくカメラ動作を示すタイミングチャートである。
【図２４】ＣＰＵ１４１の動作シーケンスに基づくカメラ動作を示すタイミングチャートである。
【図２５】ファインダ視野内の表示を示す図である。
【符号の説明】
【０１９２】
５０  デジタル一眼レフカメラ
１２７  撮像素子
１３０  ファインダ装置
１４１  ＣＰＵ
１６８  接眼窓
１９０ｄ  第２表示領域
１９１  第１表示領域
【図１】
2008244511.tif 000003
【図２】
2008244511.tif 000004
【図３】
2008244511.tif 000005
【図４】
2008244511.tif 000006
【図５】
2008244511.tif 000007
【図６】
2008244511.tif 000008
【図７】
2008244511.tif 000009
【図８】
2008244511.tif 000010
【図９】
2008244511.tif 000011
【図１０】
2008244511.tif 000012
【図１１】
2008244511.tif 000013
【図１２】
2008244511.tif 000014
【図１３】
2008244511.tif 000015
【図１４】
2008244511.tif 000016
【図１５】
2008244511.tif 000017
【図１６】
2008244511.tif 000018
【図１７】
2008244511.tif 000019
【図１８】
2008244511.tif 000020
【図１９】
2008244511.tif 000021
【図２０】
2008244511.tif 000022
【図２１】
2008244511.tif 000023
【図２２】
2008244511.tif 000024
【図２３】
2008244511.tif 000025
【図２４】
2008244511.tif 000026
【図２５】
2008244511.tif 000027